(57)【要約】【課題】ラインガイドデバイスの部材となる２つの側面板を連結するための横架リムが、少なくともその端部の一方にて、紛失されるおそれのある部品を用いることなく側面板に安定的にロック可能とする。【解決手段】横架リム（５、６）が操作部（７）及びロック部（８）を備え、ロック部（８）は、操作部（７）により、横架リム（５、６）の長手方向に沿って、この横架リム（５、６）の連結端部（９）の方向に結合位置まで変位可能に形成されると共に、連結端部（９）から離れる方向にロック解除位置まで変位可能とした。【選択図】図７
2010525769.tif 000002
【特許請求の範囲】
【請求項１】
ラインガイドデバイスの部材である２つの側面板（３、４）を連結する際に、少なくとも一方の端部（９）が、前記側面板（３、４）の一方にロック可能に形成された横架リム（５．６）において、
この横架リム（５、６）は、操作部（７）及びロック部（８）を備え、前記ロック部（８）は、操作部（７）により、実質的にこの横架リム（５、６）の長手方向に沿って、この横架リム（５、６）を前記側面板（３、４）に連結する端部（９）の方向に、この横架リム（５、６）が側面板（３、４）に結合する位置まで変位可能に形成されると共に、前記端部（９）から離れる方向に、この横架リム（５、６）が前記側面板（３、４）から取り外し可能となるロック解除位置まで変位可能であることを特徴とする横架リム（５、６）。
【請求項２】
前記ロック部（８）は、その長手方向に沿って、前記横架リム（５、６）内を、またはその表面上を案内されることを特徴とする請求項１に記載の横架リム（５、６）。
【請求項３】
前記ロック部（８）は、前記横架リム（５、６）の前記端部の方向に向く突出部（２２）を有することを特徴とする請求項１または２に記載の横架リム（５、６）。
【請求項４】
前記操作部（７）及び／または前記ロック部（８）は、前記ロック部（７）がロック位置にある場合及び／またはロック解除位置にある場合には、定位置に固定され得ることを特徴とする請求項１乃至３いずれか記載の横架リム（５、６）。
【請求項５】
前記ロック部（８）は、折曲レバーにより前記操作部（７）に連結され、前記横架リム（５、６）の中または上の装着部（１９）に枢動可能に支持されることを特徴とする請求項１乃至４いずれか記載の横架リム（５、６）。
【請求項６】
前記操作部（７）は、前記ロック部（８）がロック位置にある場合には、前記横架リム（５、６）中の収容凹部（１０）内に枢動可能に収容され、前記ロック部（８）がロック解除位置にある場合には、前記収容凹部（１０）から枢動可能に起立されていることを特徴とする請求項５記載の横架リム（５、６）。
【請求項７】
前記操作部（７）は、前記収容凹部（１０）から起立する端部側に、前記収容凹部（１０）の対向的に配設された端部（３１）に対して間隔をもって配置され、それにより、前記ロック部（８）がロック位置にある場合には、前記収容凹部（１０）から起立する前記端部を持ち上げるための工具の係合手段が形成されたことを特徴とする請求項６記載の横架リム（５、６）。
【請求項８】
前記ロック部（８）がロック位置にある場合には、前記操作部（７）は、前記収容凹部（１０）の周囲に形成される前記横架リム（５、６）の表面と面一に配置されることを特徴とする請求項６又は７に記載の横架リム（５、６）。
【請求項９】
前記折曲レバーは、レバー部（１６）を有し、前記レバー部（１６）は、その第１の端部にて、第１のヒンジ（１７）によって前記操作部（７）に連結され、前記第１の端部に対向するその第２の端部にて、第２のヒンジ部（１８）によって前記ロック部（８）に連結されることを特徴とする請求項５乃至８いずれか記載の横架リム（５、６）。
【請求項１０】
前記操作部（７）は、前記枢動装着部（１９）に対向するその端部に、前記レバー部（１６）の上に延在する舌片部（２０）を有することを特徴とする請求項５乃至９いずれか記載の横架リム（５、６）。
【請求項１１】
前記ロック部（８）は、前記ロック部（８）をロック解除位置に位置固定する第１の突出部（２６）を有し、前記第１の突出部（２６）は、ロック解除位置においては、内部にて前記横架リム（５、６）の前記収容凹部（１０）に摺接することを特徴とする請求項６乃至１０いずれか記載の横架リム（５、６）。
【請求項１２】
前記操作部（７）は、ロック位置においては、前記ロック部（８）と、または前記レバー部（１６）とラッチ可能であることを特徴とする請求項９乃至１１いずれか記載の横架リム（５、６）。
【請求項１３】
前記操作部（７）は、ロック位置においては、前記レバー部（１６）の上に形成されたラッチ開口（２８）内にラッチ係合する第２の突出部（２７）を有することを特徴とする、請求項１２に記載の横架リム（５、６）。
【請求項１４】
前記操作部（７）の前記収容凹部（１０）から枢動可能に起立する端部（３２）側に、前記収容凹部（１０）の端縁（３２）との間に、前記工具が貫通するための側方開口（３３）が形成され、前記レバー部（１６）は、前記ロック部（８）がロック位置にある場合に前記開口の方向に位置する面（３４）に、前記開口（３３）から挿通されて係合する前記工具を支持するための受止部（３５）を有することを特徴とする請求項７乃至１３いずれか記載の横架リム（５、６）。
【請求項１５】
前記操作部（７）は、前記横架リムの長手方向に沿って前記横架リムの中にまたは上に案内されるスライダ状に形成されると共に、前記ロック部（８）に剛体的に連結されたことを特徴とする請求項１乃至４いずれか記載の横架リム。
【請求項１６】
相互に枢動可能に連結されてラインガイドデバイスを構成する部材において、
相互に対向する２つの側面板（３、４）と、前記側面板（３、４）を連結する請求項１乃至２８いずれか記載の横架リム（５、６）とを有する部材。
【請求項１７】
ロックすることにより前記横架リム（５、６）に連結されることとなる前記側面板（３、４）には、内向きの突出部（１５）が形成され、前記横架リム（５，６）の連結されるべき前記端部（９）には、前記突出部（１５）と係合する内側に向かって開口した収容凹部（１０）が形成され、前記対向する側面板（６、５）の方向に向く前記突出部（１５）の端部に、前記ロック部（８）と係合する開口（２３）が形成されたことを特徴とする請求項１６に記載の部材。
【発明の詳細な説明】
【技術分野】
【０００１】
本発明は、ラインガイドデバイスの部材の２つの側面板を連結するための横架リムであって、この横架リムが、少なくともその端部の一方にて、横架リムに連結されるべき側面板にロック可能な横架リムに関する。
さらに、本発明は、相互に枢動可能に連結されてラインガイドデバイスを構成する部材であって、この部材が、相互に対向する２つの側面板及び相互に対向する２つの側面板を連結する横架リムを有し、この横架リムが、少なくともその端部の一方にて、横架リムに連結されるべき側面板にロック可能な部材に関する。
【背景技術】
【０００２】
ラインガイドデバイスの部材用の横架リムとして、ラッチ係合により側面板に解除可能に固定されるものが、最新技術により知られている。比較的高い応力及び比較的大きなライン重量が課せられる場合には、横架リムは、部材の安定性が高められるように、側面板に固定的に連結されることが望ましい。そのためには、例えば横架リムを側面板にねじ留めすることによるなどの解除不能な連結が、知られている。さらには、外部から側面板中にロックバーを挿入することにより、横架リムを側面板にロックさせることが知られており、この場合では、横架リムは、ロックバーを取り外すことにより、側面板から再度解除可能である。
【０００３】
しかし、チェーンリンク部材を開くためには、すなわち横架リムを取り外すためにロックバーを取り外すためには、ガイドチャネル内に設置されているラインガイドデバイスにあっては、ロックバーの作業を可能にするために、そして、ロックバーを外方向に抜き取るために、ガイドチャネルから取り出されなければならない。
さらに、ロックバーは、紛失されるおそれがある構成要素であり、横架リムがロック解除された後に個別に取り出されなければならない構成要素である。
【発明の概要】
【発明が解決しようとする課題】
【０００４】
本発明の目的は、この明細書の冒頭部分において示される種類の横架リム、及びそのような横架リムを有するラインガイドデバイスの部材であって、横架リムが、連結されるべき側面板に安定的な態様でロック可能であり、紛失されるおそれのある部品がロックのために必要とされない横架リム及び部材を提供することである。
【課題を解決するための手段】
【０００５】
本発明によれば、この目的は、この明細書の冒頭部分において示される種類の横架リムにおいて、操作部及びロック部が横架リムの上または中に設けられ、ロック部が、操作部により、実質的にこの横架リムの長手方向に沿って、この横架リムを側面板に連結させる端部の方向に向かって、この横架リムが側面板にロックされるロック位置まで変位可能であり、また、前記端部から離れてこの横架リムが側面板から解除可能となるロック解除位置まで変位可能としたことにより達成される。
【０００６】
本発明による構造により、横架リムの上または中の、操作部及びこの操作部と協働するロック部は、ガイドチャネルからラインガイドデバイスを取り出すなど、ラインガイドデバイスを操作する必要なしに、いかなる支障を伴うこともなく、外部からアクセス可能である。さらに、横架リムの上または中に配された操作部及びロック部は、操作部及びロック部のロック位置と、操作部及びロック部のロック解除位置の両方において、利用可能な十分なスペースを横架リムが有することにより、操作部及びロック部が紛失されるおそれがないように、構成され得る。操作部及びこの操作部と協働するロック部は、ロック解除位置にある場合に、紛失されるおそれのある部品として特に取り外される必要はない。
【０００７】
本発明の好ましい一展開例においては、ロック部は、横架リムの長手方向に沿って横架リムの中または表面上を案内される。
【０００８】
好ましくは、ロック部は、横架リムの端部の方向に向く突出部を有し、この突出部により、ロック部は側面板に連結されることとなる。突出部は、横架リムの長手方向に形成され、側面板の内方に向く面に開口された溝内に係合され、それによりロック作用をもたらすような構成のものである。突出部は、例えば平坦な平行六面体の形態などの、プレート状に形成することができる。
【０００９】
操作部及び／またはロック部は、ロック部がロック位置にある場合及び／またはロック解除位置にある場合に、固定され得るような構成にしてもよい。操作部及びロック部が位置固定されることにより、操作部及び／またはロック部が、ロック位置から偶発的に解除され、このようにして横架リムと側部プレートとの間の連結強度を少なくとも低減させ得る危険を効果的に抑制することが可能となる。さらに、この構成により、操作部及びレバー部は、リムから突出するように変位しなければ外れないので、ライン・デバイスが稼動しているときに容易に変位することを阻止する結果となる。ロック解除位置からの偶発的な解除が生じる場合には、横架リムの取り付けが困難になる可能性がある。
【００１０】
本発明の有利な一展開例においては、ロック部は、折曲レバーにより操作部に連結される。操作部は、横架リムの中または上に枢動可能に、しかし、その端部方向には変位不能に支持される。
【００１１】
横架リムの対向端部の両方が、対向的に配設された部材の側面板に対してロック可能となる場合には、横架リムの端部にてロック部とそれぞれ協働する２つの個別の操作部、または、さらには両ロック部と協働する１つの操作部を用いることが可能である。
【００１２】
本発明による横架リムのさらに有利な一構成においては、ロック部がロック位置にある場合、操作部は横架リムの収容凹部内に枢動可能に収容され、ロック部がロック解除位置にある場合、収容凹部から枢動可能に起立されている。
【００１３】
好ましくは、収容凹部は、横架リムの面に構成され、ラインガイドデバイスの部材の側面板に横架リムが連結した状態で外側に開口される。
【００１４】
望ましくは、ロック部がロック位置にある場合には、操作部は、収容凹部から起立する端部に、収容凹部の対向的に配設された端部に対して間隔をもって配置され、それにより、収容凹部から起立する操作部の端部を持ち上げるための工具の係合手段が形成されている。
【００１５】
操作部は、収容凹部から起立する枢動可能な端部にて、または収容凹部内において露出する面に、さらに溝を形成することが可能であり、この溝が、収容凹部から起立させる枢動可能な操作部の端部を上げるための工具の係合手段となる。
【００１６】
好ましくは、操作部は、ロック部がロック位置にある場合には、操作部がロック位置から偶発的に移動されるおそれがなく、または、ロック位置がラインガイドデバイスの部材の振動により解除されるおそれがなくなるように、横架リムの中または上にラッチ可能に形成されている。
【００１７】
収容凹部の領域内において、可能な限り平滑な表面を有するためには、ロック部がロック位置にある場合に、操作部の表面が横架リムの周囲の面と面一にあり、収容凹部の外方に面した状態で操作部が配置されることが望ましい。
【００１８】
本発明の好ましい一展開例においては、操作部は、横架リムの上または中において枢動可能な構成となるために、横架リムの中または上に回転可能に支持されるヒンジ部を備える。ヒンジ部は、横架リムの中または上のヒンジ装着部内に係合するヒンジピンを備えることが可能である。
【００１９】
望ましくは、ヒンジ装着部は、例えばヒンジピンなどのヒンジ部が、横架リムの中または上に、特定的な例においては設置受け手段の中に、ラッチされ得るように、横架リムの中または上に設けられる。
【００２０】
折曲レバーは、その第１の端部にて、第１のヒンジにより操作部に連結され、第１の端部に対向するその第２の端部にて、第２のヒンジによりロック部に連結される、レバー部を有することが可能である。
【００２１】
好ましくは、ヒンジは、フィルムヒンジの形態である。したがって、操作部、レバー部、及びロック部は、プラスチック材料構成要素の形態において、例えば射出成形により、単一部材に作製され得る。
【００２２】
有利な一展開例においては、操作部、レバー部、及びロック部は、操作部及びロック部に対するレバー部の、それぞれが実質的に直線状となる位置への移動を制限する当接部を有する。
【００２３】
さらに好ましい一構成においては、操作部は、横架リムの中または上の枢支部に対向するその端部にて、レバー部の上に延在する舌片部を有する。舌片部は、比較的低レベルの手動力によりロックを実施することが可能となるように、折曲レバーの操作部のてこ長さを延長させる。
【００２４】
有利には、舌片部は、操作部の比較的大きな材料厚さの領域にて突出する。
【００２５】
次いで、折曲レバーは、以下の通りに設計されてよい。第１のヒンジが、操作部の比較的大きな材料厚さの領域の、舌片部から離れる方向に向く端部と、レバー部の、やはり舌片部から離れる方向に向く端部とを連結し、第２のフィルムヒンジが、レバー部及びロック部の、舌片部の方向に向く、対向的に配設された端部同士を連結する。
【００２６】
この設計構成においては、比較的厚い領域の、舌片部に隣接する部分、及び舌片部の方向に向くレバー部の端部領域が、レバー部に対する操作部の実質的に直線状となる位置への枢動を制限するための当接部を形成する。レバー部及びロック部の、舌片部から離れるように延在する２つの対向的に配設された端部領域が、ロック部に対するレバー部の実質的に直線状となる位置への枢動移動を制限するための当接部を形成する。
【００２７】
舌片部の厚さを超えた分の操作部の材料厚さは、レバー部の厚さにほぼ一致することが可能であり、そのため操作部及びレバー部は、直線状位置にある場合には、ほぼ均等の厚さの領域を有する。折曲レバーが、直線状位置に移動されると、舌片部及びレバー部は、互いに接した状態におかれ、したがって横架リム中の均等の高さのスペース中に配置され得る。
【００２８】
別の構成においては、横架リムをその２つの対向端部にてロックするために、両ロック部と協働する操作部を用いることもまた可能である。このために、単一の操作部に２つの操作用部品を備えることが可能であり、これら２つの操作用部品は、ヒンジによって共に連結され、２つのロック部がロック解除位置にある場合には互いに対して角度をなして配置される。ロック部をロック位置に移動させるためには、例えばフィルムヒンジによって共に連結される２つの操作部は、押されて直線状位置におかれることが可能である。
【００２９】
２つのロック部をブリッジの形態に連結する単一の操作部が、とりわけ短い横架リムの場合には、有利となり得る。
【００３０】
好ましくは、操作部及び／またはロック部は、開口の側壁部にてラッチ可能である。このために、操作部及び／またはロック部はそれぞれ、それぞれ側方に突出する第１の突出部を有することが可能であり、この第１の突出部は、ロック部がそれぞれロック位置にある場合及び／またはロック解除位置にある場合には、側壁部中に形成された開口内にラッチする。好ましくは、突出部及び開口は、開口の側壁部との関係において、ロック解除位置とロック位置との間でのロック部の移動に対して横方向に延在する。
【００３１】
横架リムの好ましい一構成においては、第１の突出部は、ロック解除位置において、開口内に案内されるロック部を位置固定するための当接部の役割を果たす。そのために、第１のラッチ突出部は、ロック解除位置においては、内部にて開口に対接することが可能であり、これにより、操作部は、ロック部のロック解除位置からロック位置へと枢動され得る。
【００３２】
横架リムの他の一構成においては、操作部は、ロック位置で、ロック部及び／またはレバー部と固定され、好ましくはラッチされ得る。このようにして、操作部を強制的にロック解除位置に保持することが可能となり、これにより、リムを部材に取り付けることが容易になる。
【００３３】
このために、互いの中にラッチ係合する２つのフック要素を提供することが可能である。例としては、操作部は、第２の突出部を備え、この第２の突出部は、ロック位置においては、好ましくはレバー部に形成されたラッチ開口内にラッチ係合する。操作部及びレバー部を互いに対して枢動可能に設置するために、第２のラッチ突出部は、操作部７の装着部への方向成分を有するフック形状に延在することが可能である。同様に、ラッチ開口は、アンダーカット構成部を有することが可能であり、第２の突出部は、ロック部がロック位置にある場合には、このアンダーカット構成部の背面側にラッチ係合する。
【００３４】
したがって、第２の突出部は、ラッチ開口内にスナップ係合状態となり、及び／または、ラッチ開口とフック係合状態となることが可能である。これは、第２の突出部及びアンダーカット構成部が若干弾性変形することによる。さらに、ロック部がロック位置にある状態から、操作部を枢動させる場合、好ましくは弾性の、または少なくとも実質的に弾性の変形を伴い、その弾性変形抵抗に抗してなされ得る。したがって、変形抵抗は、この枢動に対する抵抗を形成する。具体的には第２の突出部の端部にて変形を開始するために、第２の突出部は、その自由端部の方向へと幅細にした構成のものとすることができる。
【００３５】
さらに、第２の突出部及び関連付けされるラッチ隙間は、横架リムの長手方向に対して横方向に延在することが可能である。
【００３６】
とりわけ、操作部が、ロック部がロック位置にある場合に、リムの周囲の面と面一となると、ロック位置から操作部を起こして解除することが困難となることが分かる。このことは、以下においてより詳細に説明されるように、操作部またはロック部がロック位置にあるときに固定されるラッチであることによって、強化され得る。このため、操作部が、収容凹部から外方に起こして枢動するその端部側にて、収容凹部の端縁との間に、工具を挿し入れる側方開口を形成することもできる。
【００３７】
例えば、上記において示された構成のレバー部を備える折曲レバーの形態の操作部においては、工具が開口を挿し入れる際にレバー部の下方に係合するのを防ぐために、レバー部は、ロック部がロック位置にある場合に、開口の方向に位置する面に、開口を貫通して係合する工具を支持するための受止部を形成することが可能である。この受止部は、工具が中に支持される溝の形態であることが可能である。好ましくは、開口は、スロット状に構成され、したがって、従来式のねじ回しに適合化され得る。開口は、塵埃が開口を介して進入するのを防ぐために、例えばフィルム様閉鎖具によって、または、フィルムヒンジにより横架リムに連結される閉鎖具、とりわけフラップによって閉鎖可能に形成してもよい。
【００３８】
代替の一構成においては、操作部は、横架リムの長手方向に横架リムの中または上に案内され、とりわけロック部に剛体的に連結され得る、スライダの形態であることが可能である。
【００３９】
このために、横架リムは、窓を有することが可能であり、この窓は、操作部を覆って設置され、操作部、したがってロック部が、この窓を介して、手動により、または工具により、ロック部がロック位置にある状態へと、及びロック位置からロック解除位置にある状態へと、変位可能となる。
【００４０】
好ましくは、操作部は、ロック部から離れる方向に向き、ロック部がロック位置にある場合にスナップ動作により窓内に係合されるラッチ舌部を有する。
【００４１】
好ましくは、操作部は、横架リムの中または上の当接面に対接することにより、ロック位置からロック解除位置への操作部の変位を制限する当接部を有する。
【００４２】
前述の代替形態の好ましい一構成においては、操作部は、変位を生じさせるための工具の係合を可能にする溝を有する。
【００４３】
さらに、前述の目的は、複数の相互枢動可能部材から構成され得るラインガイドデバイスの部材であって、前述において説明されるような、２つの相互に対向する側面板及びそれらを連結する横架リムを有する部材によって、達成される。
【００４４】
とりわけ、ロックすることにより横架リムに連結されることとなる側面板は、内方に向けられた、すなわち対向する側面板の方向に向けられた突出部を有し、横架リムの連結されることとなる端部は、内方に開口した、すなわち部材の内部の方向に開口した、突出部が係合する開口を有し、対向する側面板の方向を向く突出部の端部は、ロック部が中に係合する開口を有する。
【００４５】
当該側面板に連結されることとなる横架リムの端部は、突出部が開口内に係合し、ロックされることとなる横架リムの端部が側面板の内部にて正確に配置されるように、突出部の上で連結されてもよい。また、ロック部は、操作部により、突出部の開口内に押し込まれてロック位置に達する。
【００４６】
他の変形形態もまた可能であり、ロックされる横架リムの端部が、側面板の開口部に位置するように案内され、これにより、ロック部と噛み合う側面板の領域が、前記開口部と噛み合う横架リムの端部に配置される。望ましくは、側面板の開口は、横架リムがその開口に係合することが可能となるように内側に開かれ、すなわち部材の内部の方向に開かれ、また、横架リムが対向する開口に取り付けることができるように、側面板の長手方向に対して垂直に開口する。次いで、ロック部が内側に係合可能な開口が、ロックされることとなる横架リムの端部の端部部分と対向関係にある、側面板の内側に向けられた側壁部に設けられる。
【００４７】
好ましい一構成においては、横架リムは、より大きなあるいは小さな対向側面部が両端に形成されたプレート状リムの形態を成し、内向きの突出部は、やはりプレート形状構成のものであり、突出部中の端部開口は実質的に平坦な平行六面体の形態である。
【００４８】
さらに、突出部は、その比較的大きな面に鼻状突起が形成され、横架リムには、その開口端部に鼻状突起を受け入れるための穴を備える。
【００４９】
鼻状突起が形成された突出部と、横架リムの開口及び穴とによりもたらされる確動ロック連結により、ロックされることとなる横架リムの、側面板への特に安定的な固定が可能となる。
【００５０】
以下、本発明の２つの実施形態を、図面を参照してさらに詳細に説明する。
【図面の簡単な説明】
【００５１】
【図１】部材側面図。
【図２】図１のＡ−Ａ線断面図。
【図３】図２の領域Ｙの拡大図。
【図４】図２の領域Ｚの拡大図。
【図５】図１の部材の半分に切断した斜視図。
【図６】部材全体斜視図。
【図７】図６に示される横架リムの拡大図。
【図８】ロック解除位置にあるロックデバイス側面図。
【図９】ロック解除位置にあるロックデバイス斜視図。
【図１０】ロック位置にあるロックデバイス側面図。
【図１１】ロック位置にあるロックデバイス斜視図。
【図１２】ロックデバイスが解除位置にあるリムの他の実施形態を示す図。
【図１３】図１２のXIII−XIII線断面図及びXIII−XIII線切断部斜視図。
【図１４】図１３のXIV部及びXV部を示す図。
【図１５】ロックデバイスがロック位置にある図１２のリムの平面図。
【図１６】図１５におけるリムの長手方向XVI−XVI線断面図。
【図１７】図１６に図示されるXVII部を示す図。
【図１８】図１５に図示されるロックデバイスがロック解除位置にある実施形態を示す側面図。
【図１９】図１８に図示されるロックデバイスの斜視図。
【発明を実施するための形態】
【００５２】
図１、２、５及び６が、ラインガイドデバイスの部材を示し、複数のこのようなリンク部材が共にヒンジ連結され、ラインガイドデバイスを形成する。これらの図に示される実施形態では、ラインガイドデバイスはエネルギーガイドチェーンの形態をなし、そのリンク部材は、隣接する部材とヒンジ連結するためのリンク部材領域１及び２を有する。
【００５３】
エネルギーガイドチェーンの各リンク部材は、２つの側面板３及び４と、この２つの側面板３及び４を連結する上方横架リム５及び下方横架リム６とを備える。以下においてより詳細に説明されるように、横架リム５及び６はそれぞれ、ロックデバイスにより側面板３及び４に連結される。以下において説明されるように、図２から図１１において示される横架リム５、６は、ロックデバイスの構成が異なる点において、図１２から図１７において示される横架リム５、６とは異なる。
【００５４】
とりわけ図３及び図４ならびに図８及び図１１において詳細に示されるように、ロックデバイスは、操作部７及びロック部８を備えている。このロック部８は操作部７を操作することにより横架リム５または６の実質的に長手方向に沿ってその端部９に向かってロック位置まで変位可能に形成されている。横架リム５または６は、それぞれのロック部がロック位置にある場合には、それぞれ側面板３または４に固定される。また、ロック部８は、横架リム５または６の端部９から離れる方向にロック解除位置まで変位可能であり、このロック解除位置において、横架リム５または６はそれぞれ側面板３または４から解除される。
【００５５】
とりわけ図８から図１１において示されるように、ロック部８は、折曲可能なレバー構造により操作部７に連結され、操作部７は、とりわけ図３及び図４から分かるように、それぞれ横架リム５または６内に枢動可能に設置される。
【００５６】
図４、図１０及び図１１に示されるロック位置においては、操作部７は、それぞれ横架リム５または６の収容凹部１０内に折り畳まれ、その一方で、図３、図８及び図９において示されるロック解除位置においては、収容凹部１０から起立するように枢動される。
【００５７】
特に、図２及び図５から分かるように、横架リム５及び６は、２つの縦長の平行プレート１１及び１２を備え、夫々が横に延在された補強リム部１３を介して連結されている。
横架リム５及び６は、平行プレート１１及び１２の端部側に開口する受入口１４を備え、この受入口１４は、端部から内方に、すなわち部材内部方向に延設され、この受入口１４内に、当該側面板３及び４からそれぞれ対向する側面板に向けられた突出部１５が係合する。
【００５８】
突出部１５を受ける受入口１４は、プレート１１と１２との間において、突出部１５から所与の領域にわたって横架リム５及び６の長手方向に、横架リム５及び６の中央部の方向に延びる。とりわけ図３及び図４から分かるように、この領域は、ロック部８を受け、ロック部８を横架リム内に案内する。
【００５９】
より正確には図３、図４、図８〜図１１から分かるように、折曲レバーの形態であるロックデバイスは、プレート状レバー部１６を有し、このプレート状レバー部１６は、第１の端部にて、第１のヒンジ１７により操作部７に連結され、第１の端部と対向関係にあるその第２の端部にて、第２のヒンジ１８によりロック部８に連結される。ヒンジ１７及び１８は、フィルムヒンジの形態である。
【００６０】
さらに上述において指定した図面から分かるように、操作部７は、枢動装着部１９に対向するその端部にて、レバー部１６の上方に延長された舌片部２０を有する。舌片部は、操作部７の比較的大きな材料厚さの肉厚領域２１から突出する。第１のヒンジ１７は、対向的に配設された肉厚領域２１の端部と、レバー部１６の端部同士を、操作部７の舌片部２０から離れる方向に向かって連結し、第２のヒンジ１８は、対向的に配設されたレバー部１６の端部と、ロック部８の端部同士を、舌片部の方向に向かうように連結する。
【００６１】
図３、図４、図８〜図１１から分かるように、舌片部２０の厚さを超えた分の操作部７の材料厚さは、材料１６の厚さにほぼ一致しており、そのため操作部７及びレバー部１６は、それらが直線的位置にある場合には、厚さはほぼ均等になる。折曲レバーが、直線的位置に移動されると、舌片部２０及びレバー部１６は互いに重なりあって、それぞれ横架リム５または６の収容凹部１０内に収納される。操作部７及び操作部７上に形成された舌片部２０は平坦面を形成し、この平坦面は、図４、図１０及び図１１に示されるロック位置においては、横架リム５または６の収容凹部１０の外側の面と面一となって収容凹部１０を覆う。
【００６２】
また、レバー部１６の厚さは、ロック部８の厚さと一致しており、そのため、両部分は、それぞれ横架リム５または６の長手方向に延びる受入口１４の間隙内に案内される。
【００６３】
図３、図４、図８〜図１１からさらに分かるように、ロック部８には、操作部７と反対側の端部に突出部２２が形成され、この突出部２２は、それぞれ側面板３または４の内方に向く突出部１５の対応する端部開口２３内に係合し、横架リム５または６をそれぞれ各側面板３、４にロックする。
【００６４】
操作部７、レバー部１６及びロック部８を備えるロックデバイスは、単一部材射出成形の形態において、図３、図８及び図９から分かるような構成に作製される。
【００６５】
ロックデバイスは、それぞれ横架リム５または６の収容凹部１０内に、ロック部８により取り付けられる。それぞれ横架リム５または６の内方側壁部の間にロック部８を案内するために、ロック部８は、適切な幅からなるプレート状に形成されている。ロック部８のの端部に形成された突出部２２は、側面板３、４の突出部１５の先端開口２３に嵌め合わされる。
【００６６】
さらに、操作部は、図３に図示されるように、それぞれ横架リム５または６に対して枢動可能にするために、ヒンジ部２４により装着部１９内に取り付けられる。半円溝形に形成された装着部１９は、それぞれ横架リム５または６の端部９から離れる方向へ延びる受入口１４の範囲を画定し、それにより、装着部１９は、ロックデバイスの折曲レバーの支持手段を形成する。
【００６７】
操作部７及びレバー部１６は、収容凹部１０及び受入口１４内に取り付けた状態で、互いに所定の角度で折り曲げられ、これにより、舌片部２０をその外側から押圧したときの圧力で、ロック部８を、横架リム５または６の先端９に向かって変位させることが可能となる。したがって、収容凹部１０の穴は、舌片部２０を押圧する圧力によりロック部８が変位すると同時に、レバー部１６と操作部７との間の角度が増大して、最終的に１８０°となったときに、レバー部１６が収容凹部１０内に収納されるように横架リム５または６の端部９に向かって広がっている。操作部７及び舌片部２０の上面は、直線状の１８０°位置においては、横架リム５または６の収容凹部１０を囲む上面と面一に配置される。
【００６８】
操作部７のヒンジ部２４は、それぞれ横架リム５または６中の装着部１９内に係合するヒンジピンを備え、また、装着部１９は、ヒンジピンが装着部１９内に係合可能に設計されている。
【００６９】
とりわけ図１１において図示されるように、ヒンジ部の反対側に位置し、収容凹部１０から起き上がるように突出する操作部７の先端には、舌片部２０を収容凹部から起こすときにその先端側を持ち上げるために、例えば小型ねじ回しなどの工具を挿し込む溝２５が形成されている。
【００７０】
図１２から図１７は、横架リム５、６の他の実施形態を示す。この実施形態は、とりわけロックデバイスの設計構成の点で、図２から図１１に示される横架リム５、６の実施形態とは異なる。この実施形態においては、操作部７及びロック部８は、ロック部８がロック位置にある場合及びロック解除位置にある場合に、定位置に固定され得る。操作部７及びロック部８は、図１２の右手に図示されるロック部８及び操作部７を除いては、図１２から図１４においてはロック解除状態が図示され、図１５から図１７においてはロック状態が図示される。
【００７１】
とりわけ、ロック部８は、その位置をロック解除位置に固定するため第１の突出部２６を有する。この突出部２６は、ロック解除位置においては、横架リム５、６の収容凹部１０に対してロック解除位置からロック位置へ向う方向ｖに当接し、この状態で操作部７は枢動可能である。ロック部をロック解除位置からロック位置に移動させるためには、初めに、第１の突出部２６及び／または受入口１４を弾性変形させるときに生ずる抵抗に抗して、第１の突出部２６が受入口１４内に侵入させる必要がある。第１の突出部２６は、横架リム６、７の長手方向に対して垂直に、またはロック方向ｖに対して垂直に延設され、その長さ全体にわたってその側方が収容凹部１０に対して当接する。さらに、第１の突出部２６は、ロック部８の表面に一体的に形成される、すなわち、この場合、第１の突出部２６は、ロック部８の上に射出成形される。
【００７２】
横架リム６、７のこの実施形態において、ロック部８のロック位置への位置固定は、図１５から図１７に示される異なる機構に基づいている。操作部７及びレバー部１６は、ロック部８がロック位置にあるときに、互いにラッチ可能に形成されている。とりわけ図１５及び図１６から分かるように、操作部７は、操作部７がロック位置にある場合にレバー部１６に重なる舌片部２０に、第２の突出部２７を有する。ロック位置においては、第２の突出部２７は、レバー部１６の上のラッチ開口２８内に係合する。
【００７３】
第２の突出部２７は、先端が装着部１９へ湾曲したフック状に形成されている。ラッチ開口２８は、アンダーカット構成部２９を備え、ロック部８がロック位置にある場合には、第２の突出部２７は、このアンダーカット構成部２９の内側に係合する。したがって、第２の突出部２７及びラッチ開口２８は、ロック位置においては、互いにフック係合する状態になる。この点において、第２の突出部２７と、アンダーカット構成部２９を備えるラッチ開口２８とは、それぞれフックを形成する。このラッチ係合またはフック係合を解除するためには、第２の突出部２７及びラッチ開口２８、すなわち詳細には突出部２７の自由端部３０及びアンダーカット構成部２９が弾性変形されなければならない、すなわち拡張されなければならない。フック状突出部２７は、その自由端部３０へ向かって薄くなるように形成されている。同様に、アンダーカット構成部２９の壁部厚さは、その自由端部３０に向かって薄くなるように形成されている。
【００７４】
第１の突出部２６は、ロック部８がロック位置にある場合には、ロック方向ｖに受入口１４内に案内されるように構成され、受入口１４が弾性拡張することによりその内側で受入口１４に摺接する。これにより、ロック部８をロック位置からロック解除位置に移動させるために加えられなければならない力は、さらに増加し、このようにして、ロック部８がロック位置にある場合にロック部８が位置固定される。
【００７５】
図１６から明確に分かるように、ヒンジ１７、１８はそれぞれ、ロック位置においては、リム５、６に対接し、これにより定位置に固定される。とりわけ、第１のヒンジ１７は、内部にてプレート１２に対接し、第２のヒンジ１８は舌片部に対接する。
【００７６】
図１８及び図１９は、個別の図として、操作部７、ロック部８、及びレバー部１６を備えるロックデバイスの側面図及び平面斜視図を示す。例えば図１８に図示されるように、操作部は、ロック部８がロック位置にある場合には、横架リム５、６の表面と整列関係に配置される。ロック部８をロック解除するためには、操作部７が、その枢動端部３１にて、本明細書においては示されない工具により収容凹部１０から起こされるように枢動される。すなわちこの場合には、操作部７が、収容凹部１０から起こされるように梃子運動される。図１５からさらに分かるように、操作部７は、その両側に、収容凹部１０の端縁３２に対して所定の隙間となる凹部が形成され、これによって、収容凹部１０の端縁３２との間に工具を係合するための開口３３が形成される。本明細書においては、開口３３は、スロット様構成のものであり、したがって、例えば従来型のねじ回しなどをこの開口３３に挿し込んで係合させるのに適する。
【００７７】
とりわけ図１８及び図１９に図示されるように、ロック部８がロック位置にある場合に開口３３の方向に向く面３４に、開口３３から挿入された工具を支持するための受止部３５が、レバー部１６の上に設けられる。これは、開口３３から挿し込まれた工具が、不適切に係合されることを防ぐために、さらには、レバー部１６の下方に係合されて損傷するのを防ぐために設けられている。本例において、受止部３５は、溝形状構成のものであり、工具は、溝底部にて停止され、てこ動作の実施の際に受止部３５内に案内され得る。
【符号の説明】
【００７８】
１  ヒンジ領域
２  ヒンジ領域
３  側面板
４  側面板
５  上方横架リム
６  下方横架リム
７  操作部
８  ロック部
９  端部
１０  開口
１１  プレート
１２  プレート
１３  リム
１４  開口
１５  突出部
１６  レバー部
１７  第１のヒンジ
１８  第２のヒンジ
１９  装着部
２０  舌片部
２１  領域
２２  突出部
２３  開口
２４  ヒンジ部
２５  溝
２６  第１の突出部
２７  第２の突出部
２８  ラッチ開口
２９  アンダーカット構成部
３０  自由端部
３１  端部
３２  端部
３３  開口
３４  面
３５  受け部
ｖ  ロック方向
【図１】
2010525769.tif 000003
【図２】
2010525769.tif 000004
【図３】
2010525769.tif 000005
【図４】
2010525769.tif 000006
【図５】
2010525769.tif 000007
【図６】
2010525769.tif 000008
【図７】
2010525769.tif 000009
【図８】
2010525769.tif 000010
【図９】
2010525769.tif 000011
【図１０】
2010525769.tif 000012
【図１１】
2010525769.tif 000013
【図１２】
2010525769.tif 000014
【図１３】
2010525769.tif 000015
【図１４】
2010525769.tif 000016
【図１５】
2010525769.tif 000017
【図１６】
2010525769.tif 000018
【図１７】
2010525769.tif 000019
【図１８】
2010525769.tif 000020
【図１９】
2010525769.tif 000021
【国際調査報告】
2010525769.tif 000022
2010525769.tif 000023
2010525769.tif 000024
2010525769.tif 000025